(57)【要約】【課題】分割体からなる副弁を固定するボルトやナット等が経年劣化等で損傷した場合でも副弁から水が漏れることを防止できる補強用治具を提供する。腐食等したとしても水が漏れることを防止できる。【解決手段】補強用治具は、上部分割体と下部分割体からなる補修弁を挟持するために、補修弁が有する下部副フランジを押圧するクランプ部材３２と、補修弁が有する上部副フランジを押圧するクランプ部材３８と、雄ねじ部を有する軸部２７を備え、クランプ部材３２は軸部２７の雄ねじ部に対応する雌ねじ部を有する袋止めナット及び締め込みナット３０を介して軸部２７に保持され、クランプ部材３８は軸部２７の雄ねじ部に対応する雌ねじ部を有する位置決めナット及び締め込みナット３６を介して軸部２７に保持されている。【選択図】図２
2018179015.tif 000002
【特許請求の範囲】
【請求項１】
分割体を連結した副弁の一方のフランジを押圧する第１のクランプ部材と、
前記副弁の他方のフランジを押圧する第２のクランプ部材と、
前記第１のクランプ部材及び第２のクランプ部材を保持する軸部と、
前記軸部を介して前記第１のクランプ部材及び第２のクランプ部材で前記副弁を挟持して押圧固定する連結部と、
を備えることを特徴とする補強用治具。
【請求項２】
前記第１のクランプ部材には前記一方のフランジを固定するための固定ボルトの頭部を嵌合させる第１の孔部が設けられ、
前記第２のクランプ部材には前記他方のフランジを固定するための固定ボルトの頭部を嵌合させる第２の孔部が設けられていることを特徴とする請求項１に記載の補強用治具。
【請求項３】
前記第1のクランプ部材にはＬ字型の第1のクランプ板が設けられ、
前記第２のクランプ部材にはＬ字型の第２のクランプ板が設けられていることを特徴とする請求項１又は２に記載の補強用治具。
【請求項４】
前記第1のクランプ部材と前記一方のフランジとの間には第１の弾性部材が介在し、
前記第２のクランプ部材と前記他方のフランジとの間には第２の弾性部材が介在していることを特徴とする請求項１乃至３のいずれか１項に記載の補強用治具。
【請求項５】
分割体を連結して構成された副弁の一方のフランジを押圧する第１のクランプ部材と、
前記副弁の他方のフランジを押圧する第２のクランプ部材と、
前記第１のクランプ部材及び前記第２のクランプ部材を保持する軸部と、
前記軸部を介して前記第１のクランプ部材及び前記第２のクランプ部材で前記副弁を挟持して押圧固定する連結部と、
からなることを特徴とする補強用治具を備える副弁。
【発明の詳細な説明】
【技術分野】
【０００１】
本発明は、分割された副弁を補強する補強用治具及びその治具を備える副弁に関する。
【背景技術】
【０００２】
従来、例えば特許文献１に記載された地下式消火栓や地下式空気弁は、上水道等の流体の管路に設けた立ち上がり管に空気弁や消火栓等が設置されて地中に埋設され、しかも立ち上がり管と空気弁や消火栓との間には補修弁が設置されている。このような空気弁や消火栓等において、空気弁や消火栓の補修や交換をする際に補修弁の弁体を閉弁させて空気弁や消火栓の修理や交換等を行うようにしている。
【０００３】
ところで、旧式の補修弁は上部分割体と下部分割体とに二分割されたものがあり、これらをボルトとナットで連結したものを使用していた。これらの地下式消火栓や空気弁は国内で多数が埋設されており、旧式の分割体からなる補修弁を一体型の補修弁に交換するのは多大な手間と費用がかかり、困難である。
【先行技術文献】
【特許文献】
【０００４】
【特許文献１】特開２００２−０３９４３４号公報
【発明の概要】
【発明が解決しようとする課題】
【０００５】
しかしながら、上述した地下式消火栓や空気弁等は地中に埋設されているため、雨水等が浸入することが避けられない。従って、補修弁に設置したボルトやナット等が腐食して錆びてしまい、埋設後例えば１０年以上経過すると損傷することがあった。
具体的に、地中の上水道等の管路から立ち上がり管を経由して補修弁に流入する上水の水圧によって錆びついたボルトやナット等が破損したり折損したりしてしまう。すると、補修弁の上部分割体と下部分割体が水圧で開いて内部の水が溢れ出てしまう。すなわち、分割体からなる副弁を固定するボルトやナット等が経年劣化等で損傷した場合でも副弁から水が漏れることを防止できないという問題があった。
【０００６】
本発明は、分割体からなる副弁を固定するボルトやナット等が経年劣化等で損傷した場合でも副弁から水が漏れることを防止できる補強用治具及びその治具を備える副弁を提供することを目的とする。
【課題を解決するための手段】
【０００７】
上記目的を達成するために、本発明に係る補強用治具は、分割体を連結した副弁の一方のフランジを押圧する第１のクランプ部材と、副弁の他方のフランジを押圧する第２のクランプ部材と、第１のクランプ部材及び第２のクランプ部材を保持する軸部と、軸部を介して第１のクランプ部材及び第２のクランプ部材で副弁を挟持して押圧固定する連結部と、を備えることを特徴とする。
【０００８】
上記目的を達成するために、本発明に係る補強用治具を備える副弁は、分割体を連結して構成された副弁の一方のフランジを押圧する第１のクランプ部材と、副弁の他方のフランジを押圧する第２のクランプ部材と、第１のクランプ部材及び第２のクランプ部材を保持する軸部と、軸部を介して第１のクランプ部材及び第２のクランプ部材で副弁を挟持して押圧固定する連結部と、からなることを特徴とする。
【発明の効果】
【０００９】
本発明によれば、分割体からなる副弁を固定するボルトやナット等が経年劣化等で損傷した場合でも水が漏れることを防止できる。
【図面の簡単な説明】
【００１０】
【図１】本発明の実施形態に係る補強用治具を備える副弁付き消火栓の概略図である。
【図２】図１における補強用治具の斜視図である。
【図３】図２の補強用治具の側面図である。
【図４】図１における補修弁及び補強用治具周辺の拡大図である。
【発明を実施するための形態】
【００１１】
以下、本発明の実施形態を図１から図４に基づいて説明する。
図１は、本発明の実施の形態に係る補強用治具２６を備える副弁付き消火栓１００の概略図である。
図１に示す副弁付き消火栓１００は、消火栓１、副弁としての補修弁２、及び管路３から起立する立ち上がり管４を上下に連結して備え、消火栓１と補修弁２は、上水道等の水を流す管路３に直交させて設けた立ち上がり管４の上端部に連結されている。
【００１２】
消火栓１は、例えば、略カップ形状を有している弁箱６の上端の開口に上部フランジ７が設置され、上部フランジ７の上面には消防用ホースを連結するためのホース連結部９や弁箱６への異物混入を防ぐためのカバー部材８が設置されている。また、消火栓１における弁箱６の下端側の開口に下部フランジ１１が設置されている。
【００１３】
消火栓１の下部フランジ１１には、その下部に連結した補修弁２の上部副フランジ１３が対向して設置されている。消火栓１の下部フランジ１１と補修弁２の上部副フランジ１３とは互いに固定ボルト１５と固定ナット１６により連結されている。固定ボルト１５の頭部１５ａは消火栓１の下部フランジ１１の上部に設置され、固定ボルト１５の軸部は消火栓１の下部フランジ１１と補修弁２の上部副フランジ１３を貫通しており、固定ボルト１５の軸部に螺合された固定ナット１６は補修弁２の上部副フランジ１３の下側に位置している。
【００１４】
補修弁２は、その内部に形成されている水の流路を開閉操作する弁体(図示せず)が設置されている。補修弁２は回動し、回動する際の中心軸として軸１７を有する。軸１７は補修弁２の外部に回転可能に突出し、補修弁２から突出した軸１７の端部には、操作レバー１８が連結されている。ユーザが操作レバー１８を回動すると、補修弁２の弁体は消火栓１の内部に形成されている水の流路を開閉する。補修弁２の下部には下部副フランジ１９が形成されている。
【００１５】
補修弁２の下部には、管路３から立ち上がる立ち上がり管４が接続され、立ち上がり管４に設けた上部フランジ２１が補修弁２の下部副フランジ１９に対向して設置されている。補修弁２の下部副フランジ１９と立ち上がり管４の上部フランジ２１とは、消火栓１の下部フランジ１１と補修弁２の上部副フランジ１３とを連結する固定ボルト１５及び固定ナット１６と同様の固定ボルト２３及び固定ナット２４によって連結されている。
固定ボルト２３の頭部２３ａは立ち上がり管４の上部フランジ２１の下部に配置され、固定ボルト２３の軸部は立ち上がり管４の上部フランジ２１及び補修弁２の下部副フランジ１９を貫通しており、固定ボルト２３の軸部に螺合された固定ナット２４は補修弁２の下部副フランジ１９の上側に位置している。
【００１６】
補修弁２は、上部副フランジ１３を備えた上部分割体２ａと、下部副フランジ１９及び操作レバー１８及び弁体の軸１７を備えた下部分割体２ｂとに二分割されている。上部分割体２ａと下部分割体２ｂは接合面２ｃで接合され、図示しないボルトとナットによって連結されている。
【００１７】
本実施の形態の副弁付き消火栓１００では、上部分割体２ａ及び下部分割体２ｂを連結した補修弁２が、例えば、２つの補強用治具２６によって補強されている。なお、２つの補強用治具２６は副弁付き消火栓１００を介して対向するように取り付けられている。
次いで、補強用治具２６について図２及び図３を用いて説明する。
図２及び図３において、補強用治具２６は孔部を有するロック板２９及び孔部を有するクランプ板３１（以下、これらを総称して「クランプ部材３２（第１のクランプ部材）」という。）、並びに、棒状の軸部２７、軸部２７の一端部に締め込まれる袋止めナット２８（連結部）及び袋止めナット２８に対向する締め込みナット３０（連結部）を有する。
棒状の軸部２７は、全長に亘って雄ねじ部が切られ、ロック板２９の孔部を貫通する。ロック板２９は袋止めナット２８と、ロック板２９を介して袋止めナット２８に対向する締め込みナット３０とによって軸部２７に固定される。ロック板２９にはＬ字状をなすクランプ板３１（第１のクランプ板）が、ロック板２９の孔部とクランプ板３１の孔部が重畳するように溶接等で固定されている。また、ロック板２９の孔部とクランプ板３１の孔部が重畳すると、貫通孔３２ａ（第１の孔部）が形成される。
【００１８】
また、補強用治具２６は、孔部を有するロック板３５及び孔部を有するクランプ板３７（以下、これらを総称して「クランプ部材３８（第２のクランプ部材）」という。）、並びに、軸部２７の他端に螺合される位置決めナット３４（連結部）及び位置決めナット３４に対向する締め込みナット３６（連結部）を有する。棒状の軸部２７はロック板３５の孔部を貫通する。ロック板３５は位置決めナット３４と、ロック板２９を介して位置決めナット３４に対向する締め込みナット３６とによって軸部２７に固定される。なお、位置決めナット３４及び締め込みナット３６は変位可能であるため、ロック板３５はその位置を調整可能に固定されている。また、ロック板３５にはＬ字状をなすクランプ板３７（第２のクランプ板）が、ロック板３５の孔部とクランプ板３７の孔部が重畳するように溶接等で固定されている。ロック板３５の孔部とクランプ板３７の孔部が重畳すると、貫通孔３８ａ（第２の孔部）が形成される。
【００１９】
貫通孔３２ａ，３８ａは消火栓１の下部フランジ１１及び補修弁２の上部副フランジ１３を固定するための固定ボルト１５の頭部１５ａ、並びに、立ち上がり管４の上部フランジ２１及び補修弁２の下部副フランジ１９を固定するための固定ボルト２３の頭部２３ａを収納する。
【００２０】
本実施の形態では、クランプ板３１はロック板２９に固定される固定面と、軸部２７に沿うようにクランプ板３１の固定面の端部から起立する起立面とを備え、いずれの面も立ち上がり管４の上部フランジ２１にガスケットＣ１（第１の弾性部材）を介して対向するように固定される（図４）。また、クランプ板３７はロック板３５に固定される固定面と、軸部２７に沿うようにクランプ板３１の固定面の端部から起立する起立面とを備え、いずれの面も消火栓１の下部フランジ１１にガスケットＣ２（第１の弾性部材）を介して対向するように固定される（図４）。ガスケットＣ１，Ｃ２はクランプ板３１，３７に、例えば、接着剤を用いて貼り付けられている。
これにより、クランプ部材３２，３８を立ち上がり管４の上部フランジ２１及び消火栓１の下部フランジ１１のそれぞれにがたつきが生じることなく固定することができる。なお、ガスケットＣ１，Ｃ２はいずれも弾性部材、例えば、合成ゴムで構成される。また、ロック板２９及びクランプ板３１の間に介在するガスケットＣ１はロック板２９の孔部及びクランプ板３１の孔部（貫通孔３２ａ）に対応する孔部を有し、ロック板３５及びクランプ板３７の間に介在するガスケットＣ２はロック板３５の孔部とクランプ板３７の孔部（貫通孔３８ａ）に対応する孔部を有する。
【００２１】
続いて、副弁付き消火栓１００における補修弁２を補強するために、補強用治具２６を取り付ける取付方法について説明する。
既設の副弁付き消火栓１００は地中に形成された弁室に格納され、弁室はマンホール等の蓋で覆われている。したがって、補強用治具２６を取り付けるために、まず、ユーザはマンホール等の蓋を開け、副弁付き消火栓１００を露出させる。副弁付き消火栓１００が露出すると、補修弁２を挟み込む。
【００２２】
具体的に、予めクランプ部材３８の位置決めナット３４と締め込みナット３６を緩めておき、クランプ部材３２及びクランプ部材３８が立ち上がり管４の上部フランジ２１及び消火栓１の下部フランジ１１を挟み込めるように調整しておく。その後、クランプ部材３２のクランプ板３１が立ち上がり管４の上部フランジ２１に係合される。
このとき、クランプ部材３２の貫通孔３２ａが、立ち上がり管４の上部フランジ２１及び下部副フランジ１９を固定する固定ボルト２３の頭部２３ａに嵌合される。
【００２３】
次いで、位置決めナット３４と締め込みナット３６の締め込み位置が微調整され、クランプ板３７が消火栓１の下部フランジ１１に係合される。そして、位置決めナット３４の位置の決定後、締め込みナット３６が位置決めナット３４に対して締め込まれ、補強用治具２６が副弁付き消火栓１００に取り付けられる。本実施の形態では、副弁付き消火栓１００に２つの補強用治具２６が固定されているが、いずれの補強用治具２６も上述の取付方法に基づいて取り付けられる。
【００２４】
本実施の形態の副弁付き消火栓１００は、上部分割体２ａ及び上部分割体２ａにボルトとナットで固定される下部分割体２ｂからなる補修弁２と、補修弁２を挟持するように取り付けられる補強用治具２６とを備え、補強用治具２６は上部分割体２ａに接続される消火栓１の下部フランジ部１１に対応するクランプ部材３８、下部分割体２ｂに接続される立ち上がり管４の上部フランジ２１に対応するクランプ部材３２、及びクランプ部材３２，３８を保持する軸部２７を有する。クランプ部材３２は袋止めナット２８及び締め込みナット３０によって軸部２７に固定され、クランプ部材３８は位置決めナット３４及び締め込みナット３６によって軸部２７に固定される。
【００２５】
これにより、補強用治具２６は、クランプ部材３８が消火栓１の下部フランジ部１１を介して上部分割体２ａを下部分割体２ｂに対して押圧し、クランプ部材３２が立ち上がり管４の上部フランジ２１を介して下部分割体２ｂを上部分割体２ａに対して押圧するように副弁付き消火栓１００に取り付けられるので、上部分割体２ａ及び下部分割体２ｂからなる補修弁２を固定するボルトやナット等が経年劣化等で損傷した場合でも補修弁２から水が漏れることを防止できる。
なお、補強用治具２６は取り付け作業が容易であり、副弁付き消火栓１００に短時間で取り付けることができる。
【００２６】
クランプ部材３２はロック板２９の孔部とクランプ板３１の孔部とから構成される貫通孔３２ａを有し、クランプ部材３８はロック板３５の孔部とクランプ板３７の孔部とから構成される貫通孔３８ａを有する。貫通孔３２ａ，３８ａには、消火栓１の下部フランジ１１及び補修弁２の上部副フランジ１３を固定するための固定ボルト１５の頭部１５ａ、並びに、立ち上がり管４の上部フランジ２１及び補修弁２の下部副フランジ１９を固定するための固定ボルト２３の頭部２３ａが収納される。これにより、地震等に基づく揺れが発生した場合であっても固定ボルト１５の頭部１５ａ及び固定ボルト２３の頭部２３ａが貫通孔３２ａ，３８ａに係合し、補強用治具２６が副弁付き消火栓１００から容易に外れるのを防止することができる。
【００２７】
また、クランプ部材３２はロック板２９に固定されるＬ字状のクランプ板３１を有し、クランプ板３１はロック板２９に固定される固定面と、クランプ板３１の固定面の端部から起立する起立面とを有する。さらに、クランプ部材３８はロック板３５に固定されるＬ字状のクランプ板３７を有し、クランプ板３７はロック板２９に固定される固定面と、クランプ板３１の固定面の端部から起立する起立面とを有する。これにより、地震等に基づく揺れが発生した場合であってもクランプ板３１，３７のそれぞれの起立面が消火栓１の下部フランジ１１や立ち上がり管４の上部フランジ２１に衝突して補強用治具２６の移動を制御するので、地震等に基づく揺れが補強用治具２６に与える影響を軽減することができ、もって、補強用治具２６が副弁付き消火栓１００から外れるのを確実に防止することができる。
【００２８】
ところで、本実施の形態では、２つの補強用治具２６が副弁付き消火栓１００に取り付けられていることを前提としたが、少なくとも１つの補強用治具２６が副弁付き消火栓１００に取り付けられていればよい。また、複数の補強用治具２６が副弁付き消火栓１００に取り付けられているとき、複数の補強用治具２６の各々は等間隔に副弁付き消火栓１００に取り付けられることが好ましい。
【００２９】
本実施の形態では、補強用治具２６が消火栓１の下部フランジ１１と立ち上がり管４の上部フランジ２１とを挟持するように副弁付き消火栓１００に取り付けられているが、補修弁２の上部副フランジ１３及び下部副フランジ１９を直接挟持するように副弁付き消火栓１００に取り付けられてもよい。
【００３０】
以上、本発明について、上述した実施の形態を用いて説明したが、本発明は上述した実施の形態に限定されるものではない。
【符号の説明】
【００３１】
１  消火栓
２  補修弁
２ａ  上部分割体
２ｂ  下部分割体
２６  補強用治具
２８  袋止めナット
２９  ロック板
３０、３６  締め込みナット
３１、３７  クランプ板
３２、３８  クランプ部材
３４  位置決めナット
１００  副弁付き消火栓
【図１】
2018179015.tif 000003
【図２】
2018179015.tif 000004
【図３】
2018179015.tif 000005
【図４】
2018179015.tif 000006